(57)【特許請求の範囲】
【請求項１】
建築物の躯体の内壁面または外壁面に沿って垂直方向に延在張設する基板を備え、この基板の前記内壁面または外壁面とは反対側の端縁部にレール部を突設してなる胴縁部材と、
前記胴縁部材の長手方向に所定間隔で配置固定してなるそれぞれ係合折曲片を備えた係合部材と、
前記胴縁部材の延在する方向と直向する方向に延在し、その長手方向の一側縁を係合端縁部とした基板を、所要の矩形状に形成した内装パネル材または外装パネル材の背面に配置固定してなるハンガー部材とからなり、
前記複数の胴縁部材を建築物の躯体の内壁面または外壁面に沿って平行に配設固定し、前記内装パネル材または外装パネル材に固定されたハンガー部材の係合端縁部を、前記胴縁部材に設けた係合部材の係合折曲片に対し、それぞれスライド可能に嵌合係止させるように構成し、
さらに、前記胴縁部材に設けた係合部材に係止される内装パネル材に固定されたハンガー部材の移動を固定するため、ハンガー部材を嵌合係止する係合部材を、弾性クリップを介して、胴縁部材の各レール部に固定する結合部に、ねじ具を設けた構成とすることを特徴とする内装パネル材および外装パネル材の取付用金具。
【請求項２】
前記胴縁部材は、基板の前記内壁面または外壁面とは反対側の端縁部に左右対称的に左側レール部と右側レール部とを突設してなる請求項１記載の内装パネル材および外装パネル材の取付用金具。
【請求項３】
建築物の躯体の内壁面または外壁面に沿って垂直方向に延在張設する基板を備え、この基板の前記内壁面または外壁面とは反対側の端縁部にレール部を突設してなる胴縁部材を、前記建築物の躯体の内壁面または外壁面にアンカーボルトを介して所定間隔離間させてそれぞれ平行に複数配置固定し、
前記胴縁部材のレール部の所定の高さ位置にそれぞれ係合部材を配置して、これらを弾性クリップ部材でそれぞれ固定し、
所要の矩形状に形成した複数の内装パネル材または外装パネル材の背面に、前記胴縁部材の延在する方向と直向する方向に延在し、その長手方向の一側縁を係合端縁部とした基板を備えてなるハンガー部材を適宜離間させて配置固定し、
前記内装パネル材または外装パネル材に固定されたハンガー部材の係合端縁部を、胴縁部材に設けた係合部材の係合折曲片にそれぞれスライド可能に嵌合係止させて、複数の内装パネル材または外装パネル材を順次並列させて胴縁部材５２に取付け、
さらに前記内装パネル材または外装パネル材に固定されたハンガー部材を嵌合係止する係合部材と、胴縁部材のレール部との結合部に、ねじ具を設けて前記ハンガー部材の移動を固定することを特徴とする内装パネル材および外装パネル材の取付け方法。
【発明の詳細な説明】
【技術分野】
【０００１】
本発明は、乾式工法により石材等からなる内装パネル材または外装パネル材を建築物の躯体の内壁面または外壁面に取付けるための取付用金具およびその取付け方法に関するものである。
【背景技術】
【０００２】
従来において、建築物の内装構造としては、躯体の内壁面あるいは天井面に対して、所定の寸法からなる下地ボードを、それぞれ隙間なく突き合わせ状態で固定し、これら下地ボードの表面にクロス貼りや塗装を施した構成からなるものが採用されている。そして、前記下地ボードとしては、例えば石膏ボード、ベニヤ合板、ケイカル板等の種々のボードが適用されている。
【０００３】
一方、建築物の外装構造としては、躯体の外壁面に石材等からなる外装材を、乾式工法により取付ける技術が知られている。
【０００４】
例えば、コンクリート製の矩形状板体からなる外壁パネルに対し、一枚の金属板を折曲げて形成した取付け金具を設けて、この取付け金具を外壁パネルの寸法に応じて建築物の軸組に張設した下地板に固定配置し、これら取付け金具によって前記外壁パネルの隣接する上下部を支持するように構成した外壁パネルの取り付け方法が知られている（特許文献１：特許第２６８１１０８号公報）。
【０００５】
また、前記外壁パネルの取付け方法の改良案として、表面に石材が接着され裏面にアルミニウム・ハニカムパネルが接着された外装材を形成し、この外装材の取付用金具として、躯体壁面に取付ける取付部と、躯体壁面との隙間を持たせる隙間形成部と、外装材のアルミニウム・ハニカムパネルへ挿入する差し込み部とを設けた構成とし、前記取付用金具を躯体壁面に直接固定してアルミニウム・ハニカムパネルを備えた外装材を、前記アルミニウム・ハニカム構造を有効に利用して取付ける手段が提案されている（特許文献２：特開平１０−６１１４３号公報）。
【０００６】
このように、外装材を建築物の躯体の外壁面に対して、取付用金具を使用して直接取付ける手段は、既に公知であるが、内装材については、前述したように下地ボードを使用するのが一般的である。
【０００７】
しかしながら、今日の内装材としては、外装材と同様に、表面に石材やつき板等を接着接合した構成からなるパネル材を適用することが増大している。
【発明の概要】
【発明が解決しようとする課題】
【０００８】
そこで、本発明者は、鋭意研究並びに検討を重ねた結果、建築物の躯体の内壁面に沿って水平方向に延在張設する基板を設け、この基板の前記内壁面とは反対側の側面に上下に離間する上側レール部と下側レール部とをそれぞれ平行に突設してなる胴縁部材を構成し、一方前記胴縁部材を長手方向に所定間隔で垂直に切断して形成したハンガー部材を、それぞれ反転させてその基板部側を所要の矩形状に形成した内装パネル材の背面に配置固定し、前記複数の胴縁部材を建築物の躯体の内壁面に沿って平行に配置固定して、前記内装パネル材に固定されたハンガー部材を前記胴縁部材の上側レール部と下側レール部に対し同時にスライド可能に懸吊支持させるよう構成し、さらに前記ハンガー部材の上側ハンガー部と前記胴縁部材の上側レール部との懸吊支持部に、クリップやねじ具を設けて前記ハンガー部材の移動を固定する構成とすることにより、従来のような下地ボードを使用することなく、直接建築物の躯体の内壁面に対して、乾式工法により簡便にかつ確実に取付けることができる、内装パネル材の取付用金具およびその取付け方法の開発に成功した。
【０００９】
この場合、前記構成からなる内装パネル材の取付け方法は、外装パネル材の取付け方法としても有効であることを突き止めた。すなわち、この場合、建築物の躯体の外壁面に沿って水平方向に延在張設する基板を備え、この基板の前記外壁面とは反対側の側面に上下に離間する上側レール部と下側レール部とをそれぞれ平行に突設してなる胴縁部材を、前記建築物の躯体の外壁面にアンカーボルトを介して所定間隔離間させてそれぞれ平行に複数配置固定し、所要の矩形状に形成した複数の外装パネル材の背面に、前記胴縁部材を長手方向に所定間隔で垂直に切断し、この切断片を反転させてなるハンガー部材を適宜離間させて配置固定し、前記外装パネル材に固定されたハンガー部材の上側ハンガー部と下側ハンガー部とを同時にスライド可能に懸吊支持させて、複数の外装パネル材を順次並列させて胴縁部材に取付け、さらに前記外装パネル材に固定されたハンガー部材の上側ハンガー部と胴縁部材の上側レール部との懸吊支持部に、クリップやねじ具を設けて前記ハンガー部材の移動を固定する構成とすることができる。
【００１０】
さらに、本発明者は、種々検討を重ねた結果、建築物の躯体の内壁面または外壁面に沿って垂直方向に延在張設する基板を設け、この基板の前記内壁面または外壁面とは反対側の端縁部にレール部を突設してなる胴縁部材を構成し、前記胴縁部材を長手方向に所定間隔で配置固定してなるそれぞれ係合折曲片を備えた係合部材を設け、前記胴縁部材の延在する方向と直向する方向に延在し、その長手方向の一側縁を係合端縁部とした基板を備えたハンガー部材を、所要の矩形状に形成した内装パネル材または外装パネル材の背面に配置固定し、前記複数の胴縁部材を建築物の躯体の内壁面または外壁面に沿って平行に配設固定して、前記内装パネル材または外装パネル材に固定されたハンガー部材の係合端縁部を、前記胴縁部材に設けた係合部材の係合折曲片に対し、それぞれスライド可能に嵌合係止させるように構成した、前記と同様の特徴を有する内装パネル材および外装パネル材の取付用金具並びにその取り付け方法の開発に成功した。
【００１１】
従って、本発明の目的は、パネル材からなる内装材または外装材を、従来のような下地ボード等を使用することなく、直接建築物の躯体の内壁面または外壁面に対して、所要の取付用金具を使用することにより、乾式工法によって簡便にかつ確実に取付けることができる内装パネル材および外装パネル材の取付用金具並びにその取付け方法を提供することにある。
【課題を解決するための手段】
【００１２】
前記の目的を達成するため、本発明に係る内装パネル材および外装パネル材の取付用金具は、建築物の躯体の内壁面または外壁面に沿って垂直方向に延在張設する基板を備え、この基板の前記内壁面または外壁面とは反対側の端縁部にレール部を突設してなる胴縁部材と、
前記胴縁部材の長手方向に所定間隔で配置固定してなるそれぞれ係合折曲片を備えた係合部材と、
前記胴縁部材の延在する方向と直向する方向に延在し、その長手方向の一側縁を係合端縁部とした基板を、所要の矩形状に形成した内装パネル材または外装パネル材の背面に配置固定してなるハンガー部材とからなり、
前記複数の胴縁部材を建築物の躯体の内壁面または外壁面に沿って平行に配設固定し、前記内装パネル材または外装パネル材に固定されたハンガー部材の係合端縁部を、前記胴縁部材に設けた係合部材の係合折曲片に対し、それぞれスライド可能に嵌合係止させるように構成し、
さらに、前記胴縁部材に設けた係合部材に係止される内装パネル材に固定されたハンガー部材の移動を固定するため、ハンガー部材を嵌合係止する係合部材を、弾性クリップを介して、胴縁部材の各レール部に固定する結合部に、ねじ具を設けた構成とすることを特徴とする。
【００１３】
この場合、前記胴縁部材は、基板の前記内壁面または外壁面とは反対側の端縁部に左右対称的に左側レール部と右側レール部とを突設した構成とすることができる。
【００１５】
また、前記内装パネル材または外装パネル材の取付用金具を使用する本発明に係る内装パネル材および外装パネル材の取付け方法は、建築物の躯体の内壁面または外壁面に沿って垂直方向に延在張設する基板を備え、この基板の前記内壁面または外壁面とは反対側の端縁部にレール部を突設してなる胴縁部材を、前記建築物の躯体の内壁面または外壁面にアンカーボルトを介して所定間隔離間させてそれぞれ平行に複数配置固定し、
前記胴縁部材のレール部の所定の高さ位置にそれぞれ係合部材を配置して、これらを弾性クリップ部材でそれぞれ固定し、
所要の矩形状に形成した複数の内装パネル材または外装パネル材の背面に、前記胴縁部材の延在する方向と直向する方向に延在し、その長手方向の一側縁を係合端縁部とした基板を備えてなるハンガー部材を適宜離間させて配置固定し、
前記内装パネル材または外装パネル材に固定されたハンガー部材の係合端縁部を、胴縁部材に設けた係合部材の係合折曲片にそれぞれスライド可能に嵌合係止させて、複数の内装パネル材または外装パネル材を順次並列させて胴縁部材５２に取付け、
さらに前記内装パネル材または外装パネル材に固定されたハンガー部材を嵌合係止する係合部材と、胴縁部材のレール部との結合部に、ねじ具を設けて前記ハンガー部材の移動を固定することを特徴とする。
【発明の効果】
【００１６】
前述した実施例から明らかな通り、本発明に係る内装パネル材および外装パネル材の取付用金具は、建築物の躯体の内壁面または外壁面に沿って垂直方向に延在張設する基板を備え、この基板の前記内壁面または外壁面とは反対側の端縁部にレール部を突設してなる胴縁部材と、前記胴縁部材を長手方向に所定間隔で配置固定してなるそれぞれ係合折曲片を備えた係合部材と、前記胴縁部材の延在する方向と直向する方向に延在し、その長手方向の一側縁を係合端縁部とした基板を、所要の矩形状に形成した内装パネル材または外装パネル材の背面に配置固定してなるハンガー部材とからなり、前記複数の胴縁部材を建築物の躯体の内壁面または外壁面に沿って平行に配設固定し、前記内装パネル材または外装パネル材に固定されたハンガー部材の係合端縁部を、前記胴縁部材に設けた係合部材の係合折曲片に対し、それぞれスライド可能に嵌合係止させる構成とすることにより、前述した内装パネル材または外装パネル材の建築物の躯体の内壁面または外壁面に対する取り付けを簡便かつ確実にしかも低コストに達成することができる内装パネル材および外装パネル材の取付用金具を得ることができる。
【００１７】
また、前記内装パネル材または外装パネル材の取付用金具を使用する本発明に係る内装パネル材および外装パネル材の取付け方法においては、建築物の躯体の内壁面または外壁面に沿って垂直方向に延在張設する基板を備え、この基板の前記内壁面または外壁面とは反対側の端縁部にレール部を突設してなる胴縁部材を、前記建築物の躯体の内壁面または外壁面にアンカーボルトを介して所定間隔離間させてそれぞれ平行に複数配置固定し、前記胴縁部材のレール部の所定の高さ位置にそれぞれ係合部材を配置して、これらを弾性クリップ部材でそれぞれ固定し、所要の矩形状に形成した複数の内装パネル材または外装パネル材の背面に、前記胴縁部材の延在する方向と直向する方向に延在し、その長手方向の一側縁を係合端縁部とした基板を備えてなるハンガー部材を適宜離間させて配置固定し、前記内装パネル材または外装パネル材に固定されたハンガー部材の係合端縁部を、胴縁部材に設けた係合部材の係合折曲片にそれぞれスライド可能に嵌合係止させて、複数の内装パネル材または外装パネル材を順次並列させて胴縁部材５２に取付け、さらに前記内装パネル材または外装パネル材に固定されたハンガー部材を嵌合係止する係合部材と、胴縁部材のレール部との結合部に、ねじ具を設けて前記ハンガー部材の移動を固定することにより、前記と同様にして、各種パネル材からなる内装材または外装材を、直接建築物の躯体の内壁面または外壁面に対して、乾式工法により簡便にかつ確実に取付けることができる。
【図面の簡単な説明】
【００１８】
【図１】本発明に係る内装パネル材および外装パネル材の取付用金具の一実施例を示すもので、内装パネル材を建築物の躯体の内壁面に取付ける状態を示す要部断面図である。
【図２】図１に示す内装パネル材の取付用金具の分解斜視図である。
【図３】図１に示す内装パネル材の取付用金具の組立て状態を示す概略要部斜視図である。
【図４】図１に示す内装パネル材の取付用金具の変形例を示すもので、内装パネル材を建築物の躯体の内壁面に取付ける状態を示す要部断面図である。
【図５】図４に示す内装パネル材の取付用金具の分解斜視図である。
【発明を実施するための形態】
【００１９】
次に、本発明に係る内装パネル材および外装パネル材の取付用金具並びにその取付け方法の実施例につき、内装パネル材の場合について例示した添付図面を参照しながら以下詳細に説明する。
【実施例１】
【００２０】
図１ないし図３は、本発明に係る内装パネル材および外装パネル材の取付用金具並びにその取付け方法の一実施例を示すものである。すなわち、図１は、建築物の躯体１０の内壁面１２に対し、本発明に係る取付用金具５０を使用して、複数の内装パネル材４０を取付ける状態を示す要部断面図である。なお、本実施例において使用し得る内装パネル材４０としては、例えば矩形状に形成した石材、セラミック、ガラス、不織布類等の不燃性材料、その他木質系の内装材等を適宜使用することができる。
【００２１】
しかるに、図１において、本実施例に係る取付用金具５０は、建築物の躯体１０の内壁面１２に沿って垂直方向に延在張設する胴縁部材５２と、この胴縁部材５２と直交する水平方向に延在して矩形状に形成した内装パネル材４０の背面に適宜離間させて配置固定してなるハンガー部材６２とから構成されている。
【００２２】
そこで、前記胴縁部材５２は、図２に示すように、前記建築物の躯体１０の内壁面１２に沿って垂直方向に延在する基板５３を備え、この基板５３の前記躯体１０の内壁面１２とは反対側の端縁部に、左側レール部５４ａおよび右側レール部５４ｂをそれぞれ左右対称的に突設した構成からなる。
【００２３】
この胴縁部材５２の前記左側レール部５４ａおよび右側レール部５４ｂは、それぞれ左右方向に開口した溝部５５ａ、５５ｂを備え、前記基板５３の他端縁部には固定用端部５６が形成されている。そして、前記左側レール部５４ａおよび右側レール部５４ｂの各溝部５５ａ、５５ｂには、両端に係合折曲片５７ａ、５７ｂを設けた係合部材５８の基部５９を、弾性クリップ部材６０で係合固定する。なお、前記係合部材５８は、基部５９の中央部（破線で示す）で切断し、その一端のみを係合折曲片５７ａ（５７ｂ）とする構成とすることも可能である。
【００２４】
一方、前記ハンガー部材６２は、図２に示すように、胴縁部材５２の延在する方向とは直交する方向に延在する基板６３を備え、この基板６３の長手方向の一側縁を係合端縁部６４とすると共に他側縁を当接端縁部６５とした構成からなる。従って、このように構成されたハンガー部材６２は、矩形状に形成した内装パネル材４０の背面に、適宜離間させて配置固定し、前記係合端縁部６４を前記胴縁部材５２に設けた係合部材５８の係合折曲片５７ａ、５７ｂに対して、嵌合係止させることができる（図３参照）。
【００２５】
なお、前記ハンガー部材６２の内装パネル材４０に対する取付け、すなわち固定手段としては、前述した実施例と同様にして、例えば予め内装パネル材４０の所定個所に穿設した穴部４２に埋込みナット４３を埋め込み固定しておき、この埋込みナット４３を利用して所要のボルト（図示せず）により前記ハンガー部材６２を適宜配置固定することができる（図１参照）。
【００２６】
また、本実施例においては、図示しないが、前記胴縁部材５２に設けた係合部材５８に係止される内装パネル材４０に固定されたハンガー部材６２の移動を固定するため、ハンガー部材６２を嵌合係止する係合部材５８を、弾性クリップ６０を介して、胴縁部材５２の各レール部５４ａ、５４ｂに固定する結合部に対し、ねじ具をそれぞれ取付ければ好適である。
【００２７】
前述したように、本実施例においては、前記構成からなる内装パネル材４０の取付用金具５０を使用し、前記胴縁部材５２を前記建築物の躯体１０の内壁面１２にアンカーボルトを介して所定間隔離間させ、それぞれ平行に複数配置固定する。次いで、前記胴縁部材５２の各レール部５４ａ、５４ｂの所定の高さ位置にそれぞれ係合部材５８を配置して、これらを弾性クリップ部材６０でそれぞれ固定する。そして、複数の内装パネル材４０にそれぞれ固定されたハンガー部材６２を、前記胴縁部材５２に設けた係合部材５８の係合折曲片５７ａ、５７ｂに対し、それぞれスライド可能に嵌合係止させ、複数の内装パネル材４０を順次並列させて胴縁部材５２に取付ける。さらに、前記内装パネル材４０にそれぞれ固定されたハンガー部材６２を嵌合係止する係合部材５８と、前記胴縁部材５２の各レール部５４ａ、５４ｂとの結合部に、ねじ具を設けて前記ハンガー部材６２の移動を固定することにより、建築物の躯体１０等の内壁面１２に対し、従来のような下地ボードを使用することなく、内装パネル材４０を乾式工法により簡便かつ確実に取付けることができる（図３参照）。
【００２８】
このようにして、本実施例においても、前記取付用金具５０の使用により、建築物の躯体の内壁面と内装パネル材との間に所要の空間部を形成することによって、内装パネル材の断熱効果ないしは通風効果を保持させることができる。
【００２９】
また、前記構成からなる取付用金具５０を使用して、建築物の躯体の外壁面に対する外装パネル材の取付けを、簡便に行うことができる。すなわち、この場合、外装パネル材は図示しないが、取付用金具５０の胴縁部材５２を、建築物の躯体の外壁面に対し、アンカーボルトないしは横胴縁部材等を介して所定間隔離間させ、それぞれ縦方向に平行させて複数配置固定する。次いで、前記胴縁部材５２の各レール部５４ａ、５４ｂの所定の高さ位置にそれぞれ係合部材５８を配置して、これらを弾性クリップ部材６０でそれぞれ固定する。そして、複数の外装パネル材にそれぞれ固定されたハンガー部材６２を、前記胴縁部材５２に設けた係合部材５８の係合折曲片５７ａ、５７ｂに対し、それぞれスライド可能に嵌合係止させ、複数の外装パネル材４０を順次並列させて胴縁部材５２に取付ける。さらに、前記外装パネル材にそれぞれ固定されたハンガー部材６２を嵌合係止する係合部材５８と、前記胴縁部材５２の各レール部５４ａ、５４ｂとの結合部に、ねじ具を設けて前記ハンガー部材６２の移動を固定することにより、前記内装パネル材４０と全く同様にして、建築物の躯体の外壁面に対し、外装パネル材を乾式工法により簡便かつ確実に取付けることができる。
【００３０】
なお、図４および図５は、前記図１ないし図３に示す取付用金具５０の変形例を示すものである。すなわち、この変形例においては、前記実施例の胴縁部材５２の一側のレール部を省略して、単一のレール部５４ａとして構成したものである。この場合、前記胴縁部材５２′に取り付ける係合部材５８、弾性クリップ部材６０およびハンガー部材６２の構成は、前記実施例と全く同じである。従って、前記図１ないし図３に示す実施例と同一の構成部分については同一の参照符号を付し、その詳細な説明は省略する。なお、本実施例の胴縁部材５２′は、建築物の躯体の内壁面または外壁面の端縁部における、内装パネル材または外装パネル材の取り付け際して使用すれば有効である。
【００３１】
以上、本発明の好適な実施例についてそれぞれ説明したが、本発明は前記実施例に限定されることなく、本発明の精神を逸脱しない範囲内において、多くの設計変更が可能である。例えば、本発明における内装パネル材および外装パネル材の取付用金具を構成する胴縁部材やハンガー部材等については、基本的に金属材料により構成されるものであるが、内装パネル材または外装パネル材の材質によっては、金属材料に代えて木質材料等により構成することも可能である。
【符号の説明】
【００３２】
１０  建築物の躯体                  １２  躯体の内壁面
４０  内装パネル材                  ４２  穴部
４３  埋込みナット                  ５０  取付用金具
５２、５２′  胴縁部材              ５３  基板
５４ａ  左側レール部                ５４ｂ  右側レール部
５５ａ、５５ｂ  溝部                ５６  固定用端部
５７ａ、５７ｂ  係合折曲片          ５８  係合部材
５９  基部                          ６０  弾性クリップ部材
６２  ハンガー部材                  ６３  基板部
６４  係合端縁部                    ６５  当接端縁部
【先行技術文献】
【特許文献】
【００３３】
【特許文献１】特許第２６８１１０８号公報
【特許文献２】特開平１０−６１１４３号公報
【図１】
0004790029.tif 000002
【図２】
0004790029.tif 000003
【図３】
0004790029.tif 000004
【図４】
0004790029.tif 000005
【図５】
0004790029.tif 000006